(57)【要約】【課題】  リモコン装置の電池交換において、リモコン電池を取り外しした後、リモコンスイッチを押下すると、衛生洗浄装置本体へスイッチコードが送信され、電源部コンデンサの電荷が多く消費され、ユーザ情報が揮発する。【解決手段】  リモコン装置１００に、電池が取り外しされたことを検知する手段を設けて、リモコン装置のスイッチ押下確認処理を停止する。電池の挿入状態を検知する手段としてモーメンタリスイッチ１を使用し、電池が取り外しされたことを検知する。また、リモコン装置のスイッチコード送信を禁止させる方法として、リモコン制御部が、電池を取り外しされたことを検知すると、スイッチ押下確認処理を禁止する。【選択図】  図２
2005175770.tif 000002
【特許請求の範囲】
【請求項１】
リモコン装置において、電池が取り外しされた、又は、取り外そうとしている電池交換状態を検知する手段を備え、前記検知手段が電池交換状態を検知した時に、前記リモコン装置が記憶しているユーザ設定情報を保持することを特徴とするリモコン装置。
【請求項２】
前記電池交換状態検知手段として、電池ホルダにモーメンタリスイッチを設け、電池の有無を検知することを特徴とする請求項１に記載のリモコン装置。
【請求項３】
前記電池交換状態検知手段として、電池ホルダのリモコン本体および電池ホルダ蓋に接点を備え、電池ホルダ蓋の有無を検知することを特徴とする請求項１に記載のリモコン装置。
【請求項４】
前記ユーザ設定情報を保持する方法として、前記電池交換状態検知手段が電池交換状態にあることを検知すると、リモコン制御部がスイッチ押下確認処理を禁止することを特徴とする請求項１から３のいずれかに記載のリモコン装置。
【発明の詳細な説明】
【技術分野】
【０００１】
本発明は、リモコン操作部を備えた衛生洗浄装置に使用するリモコン装置において、電池交換時にユーザ設定情報を保持する方法に関するものである。
【背景技術】
【０００２】
図１２、図１３に衛生洗浄装置のリモコン装置を示す。リモコン装置１００は、衛生洗浄装置メインスイッチ群１０１、衛生洗浄装置各装置の機能を調節する調節スイッチ群１０２、動作状況、調節スイッチの設定値を表示する表示部１０３を配置する。また、リモコン背面には、リモコン装置の電源である電池ホルダ１０４を配置する。図１４にリモコン装置のブロック図を示す。スイッチ群は、リモコン制御部１０６に接続され、どのボタンが押下されたかリモコン制御部１０６にて判別する。図１５にリモコン制御部１０６のスイッチ認識処理のフローチャートを示す。衛生洗浄装置メインスイッチ群１０１、および調節スイッチ群１０２のいずれかのボタンを押下すると、リモコン制御部１０６は、スイッチ押下認識処理にて、どのスイッチが押下されたか認識し、スイッチコード送信処理を行う。スイッチコード送信処理を行うと、図１４の送信部１０７より衛生洗浄装置へスイッチコードを送信する。調節スイッチ群１０２にて設定された情報は、衛生洗浄装置へ送信するスイッチコードをリモコン制御部１０６にて、ユーザ設定情報として情報を保持する。図１６に、電源部１０８の回路を示す。電源部１０８は、乾電池１０５の出力電圧安定化用に、コンデンサ１０９を実装する。
【０００３】
このような従来技術では、電池を交換する場合、電源部１０８に実装するコンデンサ１０９に蓄えられている電荷により、電池交換を行う程度の時間ならば、ユーザ設定情報を保持する。
【０００４】
他に、ユーザ設定情報を保持する手段は、二次電池，不揮発性メモリを利用する方法が提案されている。（例えば、特許文献１を参照）
また、電池切れに伴う衛生洗浄装置の動作不良を防ぐために、電池切れを事前に検知してスイッチ操作を制限する方法も提案されている。（例えば、特許文献２参照）
【特許文献１】特開平８−２０９７７９号  公報（段落番号００２１）
【特許文献２】特開２０００−１６０６３３号  公報（請求項１）
【発明の開示】
【発明が解決しようとする課題】
【０００５】
従来の電池交換時のユーザ設定情報を保持する方法では、電池を取り外しした後に、衛生洗浄装置メインスイッチ群１０１、および調節スイッチ郡１０２のいずれかのボタンが押下された場合、リモコン制御部１０６がボタンを押下したことを認識し、送信部１０７より衛生洗浄装置本体へスイッチコードが送信され、電源部１０８に実装するコンデンサ１０９の電荷が消費され、ユーザ設定情報が揮発するという課題を有していた。そこで、本発明では上記の問題点を解決するために、電池をリモコンより取り外し後、または取り外そうとすることを検知する手段を設けて、衛生洗浄装置メインスイッチ、または調節スイッチを押下した場合においても、ユーザ設定情報の揮発を防止することを目的とする。
【課題を解決するための手段】
【０００６】
本発明の請求項１では、リモコン装置において、電池が取り外しされた、又は、取り外そうとしている電池交換状態を検知する手段を備え、前記検知手段が電池交換状態を検知した時に、前記リモコン装置が記憶しているユーザ設定情報を保持することとした。
【０００７】
これにより、リモコン制御部にて電池を交換することを検知可能となり、衛生洗浄装置へスイッチコードの送信を禁止することができ、コンデンサの電荷を消費することを防止することができる為、二次電池、不揮発性メモリを使用することなく、ユーザ設定データの消失する可能性を低減することができる。この方式は、二次電池、不揮発性メモリを使用する方式と比較して、簡単な電気回路で構成可能であり、比較的安価に電気回路を構成することができる。
【０００８】
第２の発明では、前記電池交換状態検知手段として、電池ホルダにモーメンタリスイッチを設け、電池の有無を検知することとした。
【０００９】
電池を取り外ししたことを検知する手段として、電池電圧を監視する電気回路を使用するなどの手段が考えられるが、本方式は、電池電圧を監視する回路を設ける場合と比較して、簡単な電気回路で構成可能であり、少数の電気部品で比較的安価に電気回路を構成することができる。
【００１０】
第３の発明では、前記電池交換状態検知手段として、電池ホルダのリモコン本体および電池ホルダ蓋に接点を備え、電池ホルダ蓋の有無を検知することとした。
【００１１】
第２の発明同様、簡単な電気回路で実現可能であり、少数の電気部品で比較的安価に電気回路を構成することができる。
【００１２】
第４の発明では、前記ユーザ設定情報を保持する方法として、前記電池交換状態検知手段が電池交換状態にあることを検知すると、リモコン制御部がスイッチ押下確認処理を禁止することとした。
【００１３】
電池を取り外しした後に、衛生洗浄装置メインスイッチ、および調節スイッチのいずれかのボタンが押下された場合には、衛生洗浄装置本体へスイッチコードが送信され、ユーザ設定情報が揮発してしまうため、それを防ぐために電池を取り外しした後に、スイッチ押下確認処理を禁止し、図１５に示すスイッチ押下確認処理以降の処理を禁止することとした。電池取り外し後のリモコン消費電流を、さらに少なくすることが可能であり、電池取り外し後のユーザ設定情報保持時間をより長くすることが可能である。
【発明の効果】
【００１４】
本発明によれば、リモコンから電池を取り外している状態、または取り外そうとしている状態を電池交換状態として検知する手段を設けたので、その電池交換状態におけるユーザ設定情報の揮発を防止することができる。
【発明を実施するための最良の形態】
【００１５】
以下に実施例を図１から図１１を用いて具体的に説明する。
図１は、本発明を採用した第１の実施例を示す。電池ホルダ１０４底面部分のリモコン回路基板２に、モーメンタリスイッチ１を備える。図２、図３に実施例１の説明図を示す。乾電池１０５は、図２に示すとおり、リモコン本体１００に備える電池ホルダ１０４に挿入する。
乾電池１０５挿入前は、図３に示すとおり、モーメンタリスイッチ１は、接点開状態となっている。乾電池１０５を挿入することにより、図３に示すとおり、モーメンタリスイッチ１が押されて、接点が閉状態となる。モーメンタリスイッチ１の接点開，閉により、乾電池１０５の挿入、未挿入が検知可能である。
図４に実施例１のブロック図を示す。従来のリモコンに、電池挿入検知部８を備える。
図５に電池挿入検知部の電気回路図を示す。電池挿入時は、モーメンタリスイッチ１の接点が閉状態となる為、電池挿入検知信号の電圧は、グランドの電圧となる。電池取り外し時は、モーメンタリスイッチ１の接点が開状態となる為、電池挿入検知信号の電圧は、電源電圧となる。リモコン制御部１０６は、電池挿入検知信号の電圧により、電池挿入、電池取り外しの検知を行う。
【００１６】
図６に本発明にかかる第２の実施例を示す。電池ホルダ１０４には、第一接点４、第二接点５を備え、電池ホルダ蓋３に第三接点６を備える。
図７、図８に実施例２の説明図を示す。通常、電池ホルダは、図７のとおり電池ホルダ蓋３が取付けられた状態である。第一接点４、第二接点５には、図８に示すとおり電線７が接続され、リモコン回路基板２へ接続する。第一接点４、第二接点５、第三接点６は、板バネ構造となっており、電池ホルダ蓋３を、リモコン本体へ取り付けすると、図８に示すとおり、第一接点４および第二接点５と第三接点６がバネ力により接触する。第一接点４および第二接点５と第三接点６がバネ力により接触することにより、第一接点４と第二接点５の間が、電気的に導通状態となり、リモコン制御部にて電池ホルダ蓋３が取り付け状態であることを検知できる。また、電池ホルダ蓋３を取り外しすると、第一接点４と第二接点５間が、電気的に非導通状態となり、リモコン制御部にて電池ホルダ蓋３が取り外しされたことを検知できる。
図９に実施例２のブロック図を示す。従来のリモコンに、電池ホルダ蓋取り付け検知部９を備える。
図１０に電池ホルダ蓋取り付け検知部回路図を示す。第一接点４と第二接点５の２接点間が電気的に導通、非導通状態となることより、スイッチに置き換えすることが可能である。電池ホルダ蓋取り付け時は、第一接点４、第二接点５の間が電気的に導通状態である為、電池挿入検知信号の電圧は、グランドの電圧となる。電池ホルダ蓋取り外し時は、第一接点４、第二接点５の間が電気的に非導通状態である為、電池挿入検知信号の電圧は電源電圧となる。リモコン制御部は、電池挿入検知信号の電圧により、電池ホルダ蓋３の取り付け、取り外しの検知を行う。
【００１７】
図１１に本発明のフローチャートを示す。スイッチ認識処理時に、実施例１における電池検知処理、または実施例２における電池ホルダ蓋検知処理を行い、実施例１において電池の挿入を検知した場合、または実施例２において電池ホルダ蓋の取り付けを検知した場合は、スイッチ押下確認処理を行い、対応するスイッチコードを衛生洗浄装置本体へ送信する。実施例１における電池検知処理にて、電池が検知されない場合、または実施例２における電池ホルダ蓋の取り付けが検知されない場合は、電池の挿入が検知されるまで、スイッチ押下確認処理を実行しない。
【００１８】
このようにリモコン制御部にて電池を交換する状態下にあるか否かを検知可能することにより、衛生洗浄装置へスイッチコードの送信を禁止することができ、電池交換時にリモコンスイッチを押下した場合に、コンデンサの電荷を消費することを防止できる効果がある。なお、本方式の場合、二次電池、不揮発性メモリを使用することなく、ユーザ設定データの消失する可能性を低減することが可能で、二次電池、不揮発性メモリを使用する場合と比較して、安価に電気回路が構成できる効果がある。
【００１９】
電池を取り外ししたことを検知する手段として、電池電圧を監視する電気回路を使用するなどの手段が考えられるが、本方式は、電池電圧を監視する回路を設ける場合と比較して、簡単な電気回路で構成可能であり、少数の電気部品で比較的安価に電気回路を構成することができる効果がある。
【００２０】
電池を取り外しした後に、衛生洗浄装置メインスイッチ、および調節スイッチのいずれかのボタンが押下された場合に、衛生洗浄装置本体へスイッチコードが送信され、ユーザ設定情報が揮発することより、電池を取り外しした後に、スイッチ押下確認処理を禁止し、スイッチ押下確認処理以降の処理を禁止することとした。電池取り外し後のリモコン消費電流を、さらに少なくすることが可能であり、電池取り外し後のユーザ設定情報保持時間をより長くする効果がある。
【図面の簡単な説明】
【００２１】
【図１】本発明の第１の実施例であるリモコンの電池ホルダ部分の拡大図である。
【図２】本発明の第１の実施例の説明図１である。
【図３】本発明の第１の実施例の説明図２である。
【図４】本発明の第１の実施例のブロック図である。
【図５】本発明の第１の実施例の電池挿入検知部の電気回路図である。
【図６】本発明の第２の実施例であるリモコンの電池ホルダ部分の拡大図、および電池ホルダ蓋である。
【図７】本発明の第２の実施例の説明図１である。
【図８】本発明の第２の実施例の説明図２である。
【図９】本発明の第２の実施例のブロック図である。
【図１０】本発明の第２の実施例の電池ホルダ蓋検知部の回路図である。
【図１１】本発明を取り入れた、リモコンのスイッチ認識処理フローチャート図である。
【図１２】衛生洗浄装置用リモコンの正面図である。
【図１３】衛生洗浄装置用リモコンの背面斜視図である。
【図１４】従来の衛生洗浄装置用リモコンのブロック図である。
【図１５】従来の衛生洗浄装置用リモコンのスイッチ認識処理のフローチャートである。
【図１６】衛生洗浄装置用リモコンの電源部回路図である。
【符号の説明】
【００２２】
１：モーメンタリスイッチ、２：リモコン回路基板、３：電池ホルダ蓋、４：第一接点、５：第二接点、６：第三接点、７：電線、８：電池挿入検知部（電池交換状態検知手段）、９：電池ホルダ蓋取り付け検知部（電池交換状態検知手段）、１００：衛生洗浄装置用リモコン装置、１０１：衛生洗浄装置メインスイッチ群、１０２：調節スイッチ群、１０３：表示部、１０４：電池ホルダ、１０５：乾電池、１０６：リモコン制御部、１０７：送信部、１０８：電源部、１０９：電源電圧安定用コンデンサ
【図１】
2005175770.tif 000003
【図２】
2005175770.tif 000004
【図３】
2005175770.tif 000005
【図４】
2005175770.tif 000006
【図５】
2005175770.tif 000007
【図６】
2005175770.tif 000008
【図７】
2005175770.tif 000009
【図８】
2005175770.tif 000010
【図９】
2005175770.tif 000011
【図１０】
2005175770.tif 000012
【図１１】
2005175770.tif 000013
【図１２】
2005175770.tif 000014
【図１３】
2005175770.tif 000015
【図１４】
2005175770.tif 000016
【図１５】
2005175770.tif 000017
【図１６】
2005175770.tif 000018